(57)【要約】【課題】部分更新時においてもバッファリレー動作回数を保持することの可能な保守管理システムを提供する。【解決手段】プロセス検出器よりアナログ入力カードを介してアナログ値を取り込み、プロセス量に関する規定された設定値を基に比較演算し結果を出力するプロセス制御演算装置と、プロセスを制御するプロセス操作端と、前記プロセス操作端の開閉を制御し、具備したＩＣタグの固有ＩＤの個体識別機能により個体管理ができるバッファリレーと、前記プロセス制御演算装置の出力を計数するバッファリレー動作回数カウンタ回路と、前記カウンタ回路の計数結果に基づいて交換時期を判定するバッファリレー交換判定回路と、前記バッファリレー交換判定回路出力により警報出力する警報出力回路と、バッファリレー情報を保持する複数の記憶装置と、前記記憶装置のバッファリレー情報をネットワークを介して管理するデータ管理装置を備える。【選択図】図２
2011233088.tif 000002
【特許請求の範囲】
【請求項１】
プラントのプロセスにおいて、
プロセス検出器と、
前記プロセス検出器の検出値を記憶するアナログ入力カードと、
プロセスを制御するプロセス操作端と、
前記プロセス操作端の開閉を制御するバッファリレーと、
前記バッファリレーを制御する信号を介在するデジタル出力カードと、
前記プロセス検出器から前記アナログ入力カードを介してプロセスのアナログ値を取り込み、プロセス量に関する規定された設定値を基に比較演算し、該演算結果によって前記プロセス操作端を駆動するバッファリレーを制御する信号を前記デジタル出力カードに出力して前記プロセスを制御するとともに、前記バッファリレーの動作回数を計数してバッファリレーの保全管理をするプロセス制御演算装置と、
を備えたことを特徴とする保守管理システム。
【請求項２】
前記バッファリレーはＩＣタグを具備し、該ＩＣタグの固有ＩＤの個体識別機能により前記バッファリレーは個体管理されることを特徴とする請求項１に記載の保守管理システム。
【請求項３】
前記プロセス制御演算装置が、
前記プロセス制御演算装置から前記バッファリレーに出力されたデジタルデータを計数するバッファリレー動作回数カウンタ回路と、
前記バッファリレー動作回数カウンタ回路の計数結果に基づいてバッファリレー交換時期を判定するバッファリレー交換判定回路と、
前記バッファリレー交換判定回路の判定結果により警報を出力する警報出力回路と、
前記バッファリレー情報を保持する第１記憶装置と、
前記ＩＣタグの識別情報と、前記バッファリレー情報を保持する記憶装置に保持されているバッファリレー識別情報とを比較するＩＣタグ比較回路と、
前記ＩＣタグ比較回路の出力に基づいて前記バッファリレー動作回数カウンタ回路をリセットするリセット回路と、
を備えたことを特徴とする請求項２に記載の保守管理システム。
【請求項４】
プラントのプロセスにおいて、
プロセス検出器と、
前記プロセス検出器の検出値を記憶するアナログ入力カードと、
プロセスを制御するプロセス操作端と、
前記プロセス操作端の開閉を制御し、具備したＩＣタグの固有ＩＤの個体識別機能により個体管理されるバッファリレーと、
前記バッファリレーを制御する信号を介在するデジタル出力カードと、
前記プロセス検出器から前記アナログ入力カードを介してプロセスのアナログ値を取り込み、プロセス量に関する規定された設定値を基に比較演算し、該演算結果によって前記プロセス操作端を駆動するバッファリレーを制御する信号を前記デジタル出力カードに出力して前記プロセスを制御するとともに、前記バッファリレーの動作回数を計数してバッファリレーの保全管理をするプロセス制御演算装置と、
前記プロセス制御演算装置に具備される第１記憶装置と、
前記プロセス制御演算装置とは別の装置である第２プロセス制御演算装置に具備される第２記憶装置と、
前記デジタル出力カードに具備される第３記憶装置と、
前記第１記憶装置、第２記憶装置、および第３記憶装置の保存データを集中管理するデータ管理装置と、
前記第１記憶装置、第２記憶装置、第３記憶装置、および前記データ管理装置とでデータ通信を行うネットワークと、
を備えたことを特徴とする保守管理システム。
【請求項５】
前記プロセス制御演算装置が、
前記プロセス制御演算装置から前記バッファリレーに出力されたデジタルデータを計数するバッファリレー動作回数カウンタ回路と、
前記バッファリレー動作回数カウンタ回路の計数結果に基づいてバッファリレー交換時期を判定するバッファリレー交換判定回路と、
前記バッファリレー交換判定回路の判定結果により警報を出力する警報出力回路と、
前記バッファリレー情報を保持する第１記憶装置と、
前記ＩＣタグの識別情報と、前記バッファリレー情報を保持する記憶装置に保持されているバッファリレー識別情報とを比較するＩＣタグ比較回路と、
前記ＩＣタグ比較回路の出力に基づいて前記バッファリレー動作回数カウンタ回路をリセットするリセット回路と、
を備えたことを特徴とする請求項４に記載の保守管理システム
【請求項６】
前記バッファリレーが具備した前記ＩＣタグの固有ＩＤと、前記プロセス制御演算装置の第１記憶装置のバッファリレーＩＣタグ情報の固有ＩＤとを前記ＩＣタグ比較回路が比較し、記憶装置内に該当ＩＤが存在すれば前記該当ＩＤのバッファリレー動作回数を用いて、バッファリレー動作回数カウンタ回路のカウント数を設定し、第１記憶装置内に該バッファリレー固有ＩＤが存在しなければ、第１記憶装置に該バッファリレー固有ＩＤを書き込み、かつリセット回路がリセット信号を出力して前記バッファリレー動作回数カウンタ回路を初期状態にすることを特徴とする請求項５に記載の保守管理システム。
【請求項７】
前記データ管理装置が、
前記第１記憶装置、第２記憶装置、第３記憶装置間の同期をとる同期回路と、
第１記憶装置、第２記憶装置、第３記憶装置のデータを保存管理するデータベースと、
を備えたことを特徴とする請求項４乃至請求項６に記載の保守管理システム。
【発明の詳細な説明】
【技術分野】
【０００１】
本発明はプラントのプロセスを監視、制御するデジタル制御装置、特にプロセス操作端を開閉するバッファリレーの保守管理システムに関する。
【背景技術】
【０００２】
従来、プラント、殊に発電所のプラントのプロセスを監視、制御するデジタル制御装置に備えられたプロセス操作端を開閉するバッファリレーには、開閉にともなう電気的接点の消耗があり、寿命がある。したがって、プラントの運転員は、バッファリレーを含めたデジタル制御装置の定期的な保守、保全を行うことで、故障に起因するプロセス異常が生じないようにしてきた。
しかし、バッファリレーが駆動される出力信号の発生頻度には、ばらつきがある。またバッファリレーの駆動回数の総計が不明である為に、バッファリレーの故障時期の推定を行うことが困難であり、バッファリレーの故障に起因するプロセス異常が起きるまで、故障を検知することができない問題があった。
【０００３】
この問題に対し、特許文献１では演算器内にバッファリレーの動作回数をカウントする回路を設け、故障閾値を設定し、比較することでバッファリレーの機械的な故障を予測し、予兆警報を出力することで運転員に報知することとしている。
【先行技術文献】
【特許文献】
【０００４】
【特許文献１】特開平６−４３９１５号公報
【発明の概要】
【発明が解決しようとする課題】
【０００５】
特許文献１では、前記したように、演算装置内においてバッファリレーの動作数をカウントし、動作限界前に予兆警報を出力することで予防保守を行っているか、バッファリレーの動作限界を予兆することでバッファリレーの交換を行っていた。しかしながら、バッファリレーと演算装置は一体化しているものではなく、バッファリレーのみ、あるいは演算装置のみが全体もしくは部品の交換が行われることがある。このとき、バッファリレーの特定と使用履歴の管理が不充分であったり、演算装置の更新時において、そのまま使い続けられるバッファリレーの動作回数が保持されないという問題点があった。
【０００６】
そこで、本発明はこのような問題点を解決するもので、その目的とするところは、バッファリレーの動作回数を確実に管理することであり、演算装置などの機器の部分更新があっても動作回数を保持することが可能となる方法を提供することである。
【課題を解決するための手段】
【０００７】
前記の課題を解決して、本発明の目的を達成するために、以下のように構成した。
すなわち、プラントのプロセスにおいて、プロセス検出器と、前記プロセス検出器の検出値を記憶するアナログ入力カードと、プロセスを制御するプロセス操作端と、前記プロセス操作端の開閉を制御するバッファリレーと、前記バッファリレーを制御する信号を介在するデジタル出力カードと、前記プロセス検出器から前記アナログ入力カードを介してプロセスのアナログ値を取り込み、プロセス量に関する規定された設定値を基に比較演算し、該演算結果によって前記プロセス操作端を駆動するバッファリレーを制御する信号を前記デジタル出力カードに出力して前記プロセスを制御するとともに、前記バッファリレーの動作回数を計数してバッファリレーの保全管理をするプロセス制御演算装置と、を備えた。
【０００８】
かかる構成により、バッファリレーの動作回数が計測され、保持され、管理され、警報が出される。
【０００９】
また、プラントのプロセスにおいて、プロセス検出器と、前記プロセス検出器の検出値を記憶するアナログ入力カードと、プロセスを制御するプロセス操作端と、前記プロセス操作端の開閉を制御し、具備したＩＣタグの固有ＩＤの個体識別機能により個体管理されるバッファリレーと、前記バッファリレーを制御する信号を介在するデジタル出力カードと、前記プロセス検出器から前記アナログ入力カードを介してプロセスのアナログ値を取り込み、プロセス量に関する規定された設定値を基に比較演算し、該演算結果によって前記プロセス操作端を駆動するバッファリレーを制御する信号を前記デジタル出力カードに出力して前記プロセスを制御するとともに、前記バッファリレーの動作回数を計数してバッファリレーの保全管理をするプロセス制御演算装置と、前記プロセス制御演算装置に具備される第１記憶装置と、前記プロセス制御演算装置とは別の装置である第２プロセス制御演算装置に具備される第２記憶装置と、前記デジタル出力カードに具備される第３記憶装置と、前記第１記憶装置、第２記憶装置、および第３記憶装置の保存データを集中管理するデータ管理装置と、前記第１記憶装置、第２記憶装置、第３記憶装置、および前記データ管理装置とでデータ通信を行うネットワークと、を備えた。
【００１０】
かかる構成により、バッファリレーの作動回数が計測され、保持され、管理され、警報が出され、さらにバッファリレーの動作回数を機器間で共有し、部分更新時においても動作回数が保持される。
【発明の効果】
【００１１】
本発明によれば、バッファリレーの動作回数が確実に管理され、演算装置などの機器の部分更新があっても動作回数が保持される方法を提供する。
【図面の簡単な説明】
【００１２】
【図１】本発明の保守管理システムを適用するプラントのプロセスを監視、制御するデジタル制御装置の概要の構成を示す図である。
【図２】本発明の保守管理システムの詳細な構成を示す図である。
【発明を実施するための形態】
【００１３】
以下、本発明の保守管理システムの実施形態について図１と図２を参照して説明する。
【００１４】
（保守管理システムの実施形態が適用されるデジタル制御装置の概要）
図１は、プラントのプロセス量を検出（プロセス検出器１１）し、演算（プロセス制御演算装置１３）し、バッファリレー１７を介してプロセス制御の操作（プロセス操作端１８）をするデジタル制御装置の概要の構成を示したものである。
【００１５】
図１において、プロセス検出器１１によって、プラントのプロセス量を検出している。検出されたプロセス量の情報は、アナログ入力カード１２に入力し、後の工程で扱いやすい情報に変換処理され、かつプロセス値として記録される。このアナログ入力カード１２が出力した情報をプロセス制御演算装置１３に入力する。プロセス制御演算装置１３は前記プロセス値を取り込む。また、プロセス制御演算装置１３は、制御演算回路１４と、プロセス量に関する規定された設定値１５とを内部に備えている。この制御演算回路１４は、取り込まれた前記プロセス値と、前記設定値１５と比較演算して、その結果を制御演算回路１４として出力する。この出力はデジタル出力であって、プロセス制御演算装置１３からの出力でもある。
【００１６】
なお、制御演算回路１４のプロセス値と設定値１５との比較演算は、プラントのプロセス量によって、プラントの状況を把握し、プロセス量に関する規定された設定値１５を参照することによって、プラントの状況を把握する。そして、プラントが適正に運用・維持されるためのプロセスへの指示に相当する出力信号を出すためのものである。
【００１７】
プロセス制御演算装置１３から出力されたデジタル出力は、デジタル出力カード１６に取り込まれ、デジタル出力カード１６内で演算処理されて、バッファリレー１７の適正な動作の指示となる制御信号がバッファリレー１７へと出力される。このバッファリレー１７がオン・オフ（ＯＮ／ＯＦＦ）することよって、プロセス量を制御するプロセス操作端１８をＯＮ／ＯＦＦさせる。
【００１８】
なお、プロセス操作端１８をＯＮ／ＯＦＦさせるために、バッファリレー１７は電気的接点に電流を流し、導通（ＯＮ）と切断（ＯＦＦ）を繰り返す。この過程において、バッファリレー１７の電気的接点は次第に消耗する。したがって、ＯＮ／ＯＦＦの回数がある一定限度に達すると寿命が尽きて、あるいは寿命が近づいて、バッファリレー１７の交換が必要となる。
【００１９】
アナログ入力カード１２、プロセス制御演算装置１３、デジタル出力カード１６は自己診断機能を持ち、故障の際にはアラームを発し、運転員（保守員も含む、以下同様）に知らせる。
【００２０】
前記したように、バッファリレー１７はデジタル出力カード１６とプロセス操作端１８との間に挿入されている。これは、プロセス制御演算装置１３においてはプロセス操作端１８に故障等が発生した場合の波及を防ぐ目的や、プロセス操作端１８に対して電圧信号を供給する目的の為である。
【００２１】
また、バッファリレー１７については、前記した消耗による寿命があり、その事前の対策として、定期的に保守、交換を行う。これによって、バッファリレー１７の故障に起因するプロセス異常が発生しないようにしている。
【００２２】
（保守管理システムの実施形態の構成）
図２は本発明の保守管理システムの実施形態の詳しい構成を示すものである。
図２において、保守管理システムは、プロセス検出器１０１と、アナログ入力カード１０２と、プロセス制御演算装置１０３とデジタル出力カード１０６とバッファリレー１０７とプロセス操作端１０８を備えている。
【００２３】
また、さらにプロセス制御演算装置１０３とほぼ同等の機能を有し、他のプロセス情報を制御する第２プロセス制御演算装置１２３と、前記したデジタル出力カード１０６、プロセス制御演算装置１０３、および第２プロセス制御演算装置１２３に備えられた記憶装置（１１９、１２１、１２４）の各情報を管理するデータ管理装置１２６と、を備えている。
さらに、前記したデジタル出力カード１０６、プロセス制御演算装置１０３、第２プロセス制御演算装置１２３、データ管理装置１２６の間を接続し、それらのデータを通信するネットワーク２０１を備えている。
【００２４】
＜プロセス制御演算装置の構成＞
プロセス制御演算装置１０３は、制御演算回路１０４、設定値１０５、バッファリレー動作回数カウンタ回路１１０、バッファリレー交換判定回路１１１、警報出力回路１１２、ＩＣタグ比較回路１１７、リセット回路１１８、第１記憶装置１２１を備えて構成されている。これらの機能と関連については以下において、順次、説明する。
【００２５】
プロセス制御演算装置１０３は、プロセス検出器１０１の情報入力からプロセス操作端１０８までの動作の概要は、図１において、説明した通りである。
図２を参照して、概略を再記せば、プロセス検出器１０１によりプロセス量が検出され、プロセス値として、アナログ入力カード１０２によって取り込まれる。このアナログ入力カード１０２を介して前記プロセス値は、プロセス制御演算装置１０３に入力する。プロセス制御演算装置１０３に備えられた制御演算回路１０４で前記プロセス値は設定値１０５と比較演算される。この比較演算された出力はプロセス制御演算装置１０３の出力として、デジタル出力カード１０６に取り込まれる。デジタル出力カード１０６において、処理されて、バッファリレー１０７の制御信号が出力される。バッファリレー１０７は、制御信号を受けＯＮ／ＯＦＦし、プロセス操作端１０８を動作させる。以上は概略であるが前記した通りである。
【００２６】
以下は、プロセス制御演算装置１０３の主に内部での動作について述べる。
前記したプロセス制御演算装置１０３がデジタル出力カード１０６に出力信号を出す際に、バッファリレー動作回数カウンタ回路１１０にも出力信号を出す。
このとき、バッファリレー動作回数カウンタ回路１１０では、リセット回路１１８よりリセット信号が入力されていないことを確認して、動作回数を１増やす。これはバッファリレー１０７を動作させる信号が１回出力される毎に、その動作回数をバッファリレー動作回数カウンタ回路１１０に反映させるものである。
【００２７】
カウントされたバッファリレー動作回数は、バッファリレー交換判定回路１１１に送られ、バッファリレー交換判定回路１１１に備えられた警報出力閾値と比較される。この警報出力閾値はバッファリレーの動作回数とバッファリレーとしての寿命との相関関係によって定められた値である。
また、このときの比較結果は警報出力回路１１２へと送られる。警報出力回路１１２は前記比較結果を基に警報出力のＯＮ／ＯＦＦを決定する。出力ＯＮの場合は予兆警報１１３を出力し、運転員へ報知する。
なお、この予兆警報はデジタル出力カード１０６にも送られる。
【００２８】
また、バッファリレーの動作回数が増加、もしくは変動した際には、バッファリレー動作回数カウンタ回路１１０のカウント数が参照され、バッファリレー動作回数が第１記憶装置１２１に送られる。この新しいバッファリレー動作回数の信号は、バッファリレー情報１２２におけるバッファリレー動作カウント情報を更新する。
なお、バッファリレー動作回数カウンタ回路１１０のカウンタ数はバッファリレー１０７の動作数を意味し、バッファリレー１０７の接点の寿命を推定する根拠となる。
【００２９】
バッファリレー１０７には、バッファリレー１０７自身の個体識別を行う為にＩＣタグ１０９が取り付けられている。ＩＣタグ内のＩＤ情報（ＩＣタグ情報）はタグリーダー（不図示）によって読み取られ、プロセス制御演算装置１０３に入力される。
プロセス制御演算装置１０３に備えられたＩＣタグ比較回路１１７はタグリーダー（不図示）からのＩＣタグ情報１１６を受け取り、第１記憶装置１２１内に記憶されているバッファリレーＩＣタグ情報とバッファリレー動作カウント情報からなるバッファリレー情報１２２と、入力されたＩＣタグ情報１１６との比較を行う。
【００３０】
このとき、ＩＣタグ情報１１６のＩＤ情報が、バッファリレー情報１２２において一致するＩＤ情報が存在しない場合には、バッファリレー１０７は未使用の新しい部品であり、接点は一度も動作していないと判断して、リセット回路１１８にデジタル信号の“１”を出力する。リセット回路１１８はデジタル信号“１”を入力すると、リセット信号を出力し、バッファリレー動作回数カウンタ回路１１０を初期状態にする。つまり、０から新しくカウントを開始するように設定する。
【００３１】
また、第１記憶装置１２１内に記憶されているバッファリレー情報１２２のバッファリレーＩＣタグ情報と、タグリーダー（不図示）より入力されたＩＣタグ情報１１６が一致した場合には、第１記憶装置１２１内に記憶されているバッファリレー情報１２２のＩＣタグ情報において該当するＩＤ情報に対応したバッファリレー動作カウンタ情報から、カウント数をバッファリレー動作回数カウンタ回路１１０に出力する。バッファリレー動作回数カウンタ回路１１０は、固有ＩＤが一致したＩＣタグ１０９のバッファリレー１０７のバッファリレー動作カウント情報のカウント数に合わせるように、バッファリレー動作回数カウンタ回路１１０のカウント数をセットする。
これは、バッファリレー１０７は、過去に既に使用されていると判断し、それまでに動作した回数を、バッファリレー動作回数カウンタ回路１１０に覚えさせることに対応している。
【００３２】
＜デジタル出力カード＞
デジタル出力カード１０６は前記したように、プロセス制御演算装置１０３でプロセス値を比較演算したデジタル値の出力を取り込み、バッファリレー１０７を駆動する信号に処理され、バッファリレー１０７への制御信号を出力する。
また、ＬＥＤランプ１１５と、これを駆動するＬＥＤ表示回路１１４を備えている。プロセス制御演算装置１０３の警報出力回路１１２より前記した予兆警報１１３と同じ警報出力をＬＥＤ表示回路１１４は受けて、ＬＥＤランプ１１５を駆動する信号を形成してＬＥＤランプ１１５からも表示による予兆警報を出す。
また、第３記憶装置１１９を備えており、後記するように、バッファリレー１０７の動作回数や固有ＩＤに係る情報をバッファリレー情報１２０として記憶する。
【００３３】
＜第２プロセス制御演算装置＞
プラントのプロセスにおいて、プロセス情報は多種にわたっている。したがって、それらのプロセス値を検出するプロセス検出器も一般的には複数存在する。したがって、それらのプロセス値を演算処理して制御するプロセス制御演算装置も複数台、存在する。
図２において、第２プロセス制御演算装置１２３は取り扱うプロセスのプロセス値は異なるが、前記したプロセス制御演算装置１０３と同じような構成をしており、第１記憶装置１２１と同じような機能の第２記憶装置１２４を備えている。後記するように第１記憶装置１２１と第２記憶装置１２４は互いに情報をバックアップすることもできる。
【００３４】
なお、図２おいて、プロセス制御演算装置は、プロセス制御演算装置１０３と第２プロセス制御演算装置１２３との２台しか表記していないが、前記した理由から、さらに多くのプロセス制御演算装置があることもある。このとき、第１記憶装置１２１、第２記憶装置１２４に相当する機能の記憶装置をそれぞれのプロセス制御演算装置が備えていることがある。
【００３５】
＜データ管理装置＞
図２おいて、データ管理装置１２６はバッファリレーＩＣタグ情報とバッファリレー動作カウンタ情報とからなるバッファリレー情報１２９を保持、管理するデータベース１２８と、後記するネットワーク２０１でデータをやりとりするときの同期をとる同期回路１２７を備えている。
なお、データ管理装置１２６のより詳しい機能、動作については後記する。
【００３６】
＜ネットワーク＞
図２において、第１記憶装置１２１、第２記憶装置１２４、第３記憶装置１１９、データベース１２８間の情報のやりとり、もしくはプロセス制御演算装置１０３、デジタル出力カード１０６、第２プロセス制御演算装置１２３、データ管理装置１２６間の情報のやりとりはネットワーク２０１を介して行われる。より詳しくは後記する。
【００３７】
＜プロセス制御演算装置に係る記憶情報の保持と更新＞
プロセス制御演算装置１０３は前記したようにバッファリレー情報１２２を記憶する第１記憶装置１２１を備えている。また、デジタル出力カード１０６は前記したようにバッファリレー情報１２０を記憶する第３記憶装置１１９を備えている。
第１記憶装置１２１は、バッファリレー情報１２２に変更が生じた場合において、第３記憶装置１１９に変更情報を出力する。それを受けて、第３記憶装置１１９はバッファリレー情報１２０を更新する。
これはバッファリレー１０７が動作して動作回数が増加した場合や、バッファリレー１０７の交換によって、第１記憶装置１２１のバッファリレー情報１２２が変更される場合のために、第３記憶装置１１９でバッファリレー情報１２０として、その情報をバックアップしておくことに対応している。
【００３８】
また、プロセス制御演算装置１０３が、故障やメンテナンスにより、全部もしくは部分的に、交換あるいは更新された場合において、第３記憶装置１１９はバッファリレー情報１２０を第１記憶装置１２１に送り、第１記憶装置１２１はバッファリレー情報１２２を更新する。
これは、プロセス制御演算装置１０３が交換あるいは更新された場合に、第３記憶装置１１９でバックアップされていたバッファリレー情報１２０の情報で、交換あるいは更新された第１記憶装置１２１にバッファリレー情報１２２として、情報を提供することに対応している。
【００３９】
プロセス制御演算装置１０３と第２プロセス制御演算装置１２３、及びデータ管理装置１２６は同じネットワーク２０１に接続され、相互に通信を行うことで、情報を共有している。
データ管理装置１２６は前記したように、同期回路１２７とデータベース１２８を備え、同期回路１２７の制御のもとに一定周期毎に、プロセス制御演算装置１０３、第２プロセス制御演算装置１２３、デジタル出力カード１０６にそれぞれ備えられた、第１記憶装置１２１、第２記憶装置１２４、第３記憶装置１１９内のそれぞれのバッファリレー情報１２２、１２５、１２０を収集する。収集された情報はデータベース１２８によってバッファリレー情報１２９として管理される。
【００４０】
（その他の情報更新方法）
前述の実施形態では、バッファリレー１０７の交換を行った際には、ＩＣタグ１０９よりタグリーダー（不図示）を用いて固有ＩＤ情報を読み取り、プロセス制御演算装置１０３に入力することで、自動的にＩＤ情報の照合を行い、バッファリレー動作回数カウンタ回路１１０のリセット、もしくはバッファリレー動作回数のセットを行うことができる。
【００４１】
また、プロセス制御演算装置１０３の交換を行った際には、デジタル出力カード１０６に具備される第３記憶装置１１９内のバッファリレー情報１２０を交換したプロセス制御演算装置１０３に備えられた第１記憶装置１２１に対して送信し更新することで、バッファリレーのＩＣタグ情報及びバッファリレー動作カウント情報を機器更新後においても保持することができる。
【００４２】
また、デジタル出力カード１０６の交換を行った際には、プロセス入出力装置１０３に備えられた第１記憶装置１２１、もしくは第２プロセス制御演算装置１２３に備えられた第２記憶装置１２４、もしくはデータ管理装置１２６内のデータベース１２８に記憶された、バッファリレーＩＣタグ情報及びバッファリレー動作カウント情報からなるバッファリレー情報１２９を送信し更新することで、機器更新後においてもバッファリレー情報に含まれたバッファリレーＩＣタグ情報及びバッファリレー動作カウント情報を保持することができる。
【００４３】
以上においては、バッファリレー１０７、プロセス制御演算装置１０３、デジタル出力カード１０６の交換を行った際のバッファリレー情報のバックアップと更新について述べたが、これら以外にも第２プロセス制御演算装置１２３、データ管理装置１２６を交換する場合もある。また、前記したバッファリレー情報を保持するプロセス制御演算装置１０３、デジタル出力カード１０６、第２プロセス制御演算装置１２３、データ管理装置１２６の複数の装置の交換が同時に実施されることもある。
これらのバッファリレー情報を保持するプロセス制御演算装置１０３、デジタル出力カード１０６、第２プロセス制御演算装置１２３、データ管理装置１２６の装置が交換、または更新がされた各場合の組み合わせと、そのときのバッファリレー情報のバックアップ先と優先バックアップ先を一覧表にしたものが［表１］である。
【００４４】
なお、［表１］においては、デジタル出力カード１０６を「ＤＯ」、プロセス制御演算装置１０３を「ＣＰＵ１」、第２プロセス制御演算装置１２３を「ＣＰＵ２」、データ管理装置１２６を「ＤＡＴ」の略語で表記している。
また、前記した各装置において更新(交換)対象を「１」、更新(交換)対象外を「０」と表記している。
また、第２プロセス制御演算装置１２３である「ＣＰＵ２」が交換される場合にはプロセス制御演算装置１０３である「ＣＰＵ１」についても交換するものとする。
また、バッファリレー１０７の交換は前記したバックアップ先に影響を及ぼさないために［表１］からは除外してある。
【表１】
2011233088.tif 000003
【００４５】
以上、本発明はバッファリレーにＩＣタグを取り付けることで個体管理し、演算装置、デジタル出力カードに記憶装置を備え、保存データを集中管理するデータ管理装置をネットワーク上に設置することでバッファリレーの管理及び機器の部分更新に対応するものである。
これにより、バッファリレーの動作回数により保守管理するとともに、バッファリレーの動作回数を機器間で共有し、個別リレー動作データを保持管理することで機器の部分更新にも対応可能となる。
【符号の説明】
【００４６】
１１、１０１  プロセス検出器
１２、１０２  アナログ入力カード
１３、１０３  プロセス制御演算装置
１４、１０４  制御演算回路
１５、１０５  設定値
１６、１０６  デジタル出力カード
１７、１０７  バッファリレー
１８、１０８  プロセス操作端
１０９  ＩＣタグ
１１０  バッファリレー動作回数カウンタ回路
１１１  バッファリレー交換判定回路
１１２  警報出力回路
１１３  予兆警報
１１４  ＬＥＤ表示回路
１１５  ＬＥＤランプ
１１６  ＩＣタグ情報
１１７  ＩＣタグ比較回路
１１８  リセット回路
１１９  第３記憶装置、記憶装置
１２０、１２２、１２５、１２９  バッファリレー情報、バッファリレーＩＣタグ情報、バッファリレー動作カウンタ情報
１２１  第１記憶装置、記憶装置
１２３  第２プロセス制御演算装置、他のプロセス制御演算装置、プロセス制御演算装置
１２４  第２記憶装置、記憶装置
１２６  データ管理装置
１２７  同期回路
１２８  データベース
２０１  ネットワーク
【図１】
2011233088.tif 000004
【図２】
2011233088.tif 000005